(57)【要約】【課題】近距離無線通信を用いながらも、操作性（ユーザビリティ）に優れた通信装置を提供する。【解決手段】外部の表示装置と近距離無線通信を行う通信装置であって、前記外部の表示装置との間で通信を行う通信手段と、前記外部の表示装置との接続状態を検出する検出手段と、前記通信装置の姿勢の変化を検知する姿勢検知手段と、前記検出手段による検出結果、及び、前記姿勢検知手段による検知結果に基づいて、前記通信手段による画像データの送信を制御する制御手段と、を有することを特徴とする通信装置を提供する。【選択図】図３
2010246037.tif 000002
【特許請求の範囲】
【請求項１】
外部の表示装置と近距離無線通信を行う通信装置であって、
前記外部の表示装置との間で通信を行う通信手段と、
前記外部の表示装置との接続状態を検出する検出手段と、
前記通信装置の姿勢の変化を検知する姿勢検知手段と、
前記検出手段による検出結果、及び、前記姿勢検知手段による検知結果に基づいて、前記通信手段による画像データの送信を制御する制御手段と、
を有することを特徴とする通信装置。
【請求項２】
前記通信手段による画像データの送信中において、前記姿勢検知手段によって前記通信装置の姿勢が第１の姿勢から第２の姿勢に変化したことが検知された場合には、前記制御手段は、前記通信手段による画像データの送信を一時停止することを特徴とする請求項１に記載の通信装置。
【請求項３】
前記通信手段による画像データの送信を一時停止した後において、前記姿勢検知手段によって前記通信装置の姿勢が前記第２の姿勢から前記第１の姿勢に変化したことが検知された場合には、前記制御手段は、前記通信手段による画像データの送信を再開することを特徴とする請求項２に記載の通信装置。
【請求項４】
前記画像データは、動画像データであって、
前記通信手段は、前記通信手段による画像データの送信を一時停止したときの画像データから前記通信手段による画像データの送信を再開することを特徴とする請求項３に記載の通信装置。
【請求項５】
前記通信手段による画像データの送信を一時停止した後において、前記検出手段によって前記外部の表示装置と接続していないことが検出された場合には、前記制御手段は、前記通信手段による画像データの送信を停止することを特徴とする請求項２に記載の通信装置。
【請求項６】
前記通信手段による画像データの送信中において、前記姿勢検知手段によって前記通信装置の姿勢が第１の姿勢から第２の姿勢に変化したことが検知された場合には、前記制御手段は、前記通信装置の姿勢が前記第１の姿勢から前記第２の姿勢に変化したときの画像データが送信され続けるように、前記通信手段による画像データの送信を制御することを特徴とする請求項１に記載の通信装置。
【請求項７】
前記通信手段による画像データの送信中において、前記姿勢検知手段によって前記通信装置の姿勢が第１の姿勢から第２の姿勢に変化したことが検知された場合には、前記制御手段は、前記第２の姿勢に応じた処理が行われるように、前記通信手段による画像データの送信を制御することを特徴とする請求項１に記載の通信装置。
【請求項８】
前記画像データは、動画像データであって、
前記通信手段による画像データの送信中において、前記姿勢検知手段によって前記通信装置の姿勢が第１の姿勢から第２の姿勢に変化したことが検知された場合には、前記制御手段は、前記外部の表示装置に表示される前記動画像データに対応する動画像が巻き戻しされるように、前記通信手段による画像データの送信を制御することを特徴とする請求項１に記載の通信装置。
【請求項９】
前記外部の表示装置に表示される動画像の巻き戻し中において、前記姿勢検知手段によって前記通信装置の姿勢が前記第２の姿勢から前記第１の姿勢に変化したことが検知された場合には、前記制御手段は、前記動画像の巻き戻しを停止して前記動画像が再生されるように、前記通信手段による画像データの送信を制御することを特徴とする請求項８に記載の通信装置。
【請求項１０】
前記通信手段による画像データの送信中において、前記姿勢検知手段によって前記通信装置の姿勢が前記第１の姿勢から前記第２の姿勢とは異なる第３の姿勢に変化したことが検知された場合には、前記制御手段は、前記外部の表示装置に表示される前記動画像データに対応する動画像が早送りされるように、前記通信手段による画像データの送信を制御することを特徴とする請求項８に記載の通信装置。
【請求項１１】
前記外部の表示装置に表示される動画像の早送り中において、前記姿勢検知手段によって前記通信装置の姿勢が前記第３の姿勢から前記第１の姿勢に変化したことが検知された場合には、前記制御手段は、前記動画像の早送りを停止して前記動画像が再生されるように、前記通信手段による画像データの送信を制御することを特徴とする請求項１０に記載の通信装置。
【請求項１２】
前記通信手段は、前記外部の表示装置に前記外部の表示装置を制御するための制御データを送信可能であって、
前記通信手段による画像データの送信中において、前記姿勢検知手段によって前記通信装置の姿勢が第１の姿勢から第２の姿勢に変化したことが検知された場合には、前記制御手段は、前記通信手段による画像データの送信を一時停止すると共に、前記通信手段が前記制御データを送信するように制御することを特徴とする請求項１に記載の通信装置。
【請求項１３】
前記制御データは、前記外部の表示装置を通常モードから省電力モードに移行させるための制御データであることを特徴とする請求項１２に記載の通信装置。
【請求項１４】
前記通信手段による画像データの送信を一時停止した後において、前記姿勢検知手段によって前記通信装置の姿勢が前記第２の姿勢から前記第１の姿勢に変化したことが検知された場合には、前記制御手段は、前記通信手段が前記外部の表示装置を前記省電力モードから前記通常モードに移行させるための制御データを送信するように制御することを特徴とする請求項１３に記載の通信装置。
【請求項１５】
外部の表示装置と近距離無線通信を行う通信装置の制御方法であって、
通信手段が、前記外部の表示装置との間で通信を行う通信ステップと、
検出手段が、前記外部の表示装置との接続状態を検出する検出ステップと、
姿勢検知手段が、前記通信装置の姿勢の変化を検知する姿勢検知ステップと、
制御手段が、前記検出ステップによる検出結果、及び、前記姿勢検知ステップによる検知結果に基づいて、前記通信ステップにおける画像データの送信を制御する制御ステップと、
を有することを特徴とする制御方法。
【発明の詳細な説明】
【技術分野】
【０００１】
本発明は、外部の表示装置と近距離無線通信を行う通信装置及びその制御方法に関する。
【背景技術】
【０００２】
近年、電磁誘導による電磁式コイル間通信やアンテナからの出力を減衰させて通信可能距離を短くした近距離無線通信を利用した通信装置が提案されている（特許文献１参照）。通信装置と通信対象装置（通信相手）との通信可能距離を数センチ程度にすることによって、通信対象装置の特定が容易になるなどの利点がある。
【先行技術文献】
【特許文献】
【０００３】
【特許文献１】特開２００３−１８８８０５号公報
【発明の概要】
【発明が解決しようとする課題】
【０００４】
近距離無線通信において、データの通信中にユーザが通信装置の操作を行う場合には、通信装置と通信対象装置との接続を一旦切断し、通信装置を手元に近づけて操作を行った後、通信装置を通信対象装置に近接させて再接続させることになる。例えば、近距離無線通信を用いて外部の表示装置に画像データを送信して画像を表示させる場合を考える。この場合、外部の表示装置に表示される画像を一時停止するためには、ユーザは通信装置を手元に近づけて同一の画像データ（即ち、一時停止する画像の画像データ）を送信する操作を行った後、通信装置を外部の表示装置に近接させなければならない。また、外部の表示装置に表示される画像を早送り又は巻き戻しするためには、通信装置を通信対象装置に近接させたまま、早送り又は巻き戻しを指示するメニュー選択やボタン操作などの煩雑な操作を行わなければならない。このように、近距離無線通信を用いた従来の通信装置では、ユーザにとって操作の負担が大きく、操作性（ユーザビリティ）を著しく欠いていた。
【０００５】
そこで、本発明は、このような従来技術の課題に鑑みてなされ、近距離無線通信を用いながらも、操作性（ユーザビリティ）に優れた通信装置及びその制御方法を提供することを例示的目的とする。
【課題を解決するための手段】
【０００６】
上記目的を達成するために、本発明の一側面としての通信装置は、外部の表示装置と近距離無線通信を行う通信装置であって、前記外部の表示装置に画像データを送信する送信手段と、前記外部の表示装置との接続状態を検出する検出手段と、前記外部の表示装置に対する前記通信装置の姿勢の変化を検知する姿勢検知手段と、前記検出手段による検出結果、及び、前記姿勢検知手段による検知結果に基づいて、前記送信手段による画像データの送信を制御する制御手段と、を有することを特徴とする。
【０００７】
本発明の更なる目的又はその他の側面は、以下、添付図面を参照して説明される好ましい実施形態によって明らかにされるであろう。
【発明の効果】
【０００８】
本発明によれば、例えば、近距離無線通信を用いながらも、操作性（ユーザビリティ）に優れた通信装置及びその制御方法を提供することができる。
【図面の簡単な説明】
【０００９】
【図１】本発明の一側面としての通信装置を含む通信システムを示す外観図である。
【図２】図１に示す通信装置の構成を示す概略ブロック図である。
【図３】第１の実施形態における通信装置の動作を説明するためのフローチャートである。
【図４】図１に示す通信装置の表示部に表示されるメッセージ及びメニュー画面を示す図である。
【図５】外部の表示装置に対する通信装置の姿勢の一例を示す図である。
【図６】第２の実施形態における通信装置の動作を説明するためのフローチャートである。
【図７】第３の実施形態における通信装置の動作を説明するためのフローチャートである。
【発明を実施するための形態】
【００１０】
以下、添付図面を参照して、本発明の好適な実施の形態について説明する。なお、各図において、同一の部材については同一の参照番号を付し、重複する説明は省略する。
【００１１】
図１は、本発明の一側面としての通信装置１００を含む通信システムを示す外観図である。通信装置１００は、内部バッテリー（不図示）を用いて動作し、外部の表示装置２００と近距離無線通信を行う。従って、通信装置１００は、表示装置２００に近接すると、表示装置２００に接続してデータの通信（送受信）を実行する。通信装置１００は、外部の表示装置２００との近距離無線通信を行うための通信部１３０と、ユーザからの操作（指示）を受け付けるための操作部１４０と、ユーザに対して通知を行うための表示部１５０とを有する。
【００１２】
表示装置２００は、通信装置１００と近距離無線通信を行うための通信部２１０と、画像を表示するための表示部２２０とを有する。表示装置２００は、通信装置１００（通信部１３０）から送信される動画や静止画などの画像データを受信して、かかる画像データに対応する画像を表示する。但し、表示装置２００は、表示部２２０を有する装置に限定されるものではなく、例えば、投影部を有するプロジェクタ装置であってもよい。
【００１３】
図２を参照して、通信装置１００の構成を説明する。制御部１１０は、ＣＰＵで構成され、記憶部１２０に格納されたプログラムを実行して各部を制御することで、通信装置１００の動作全体を制御する。制御部１１０は、例えば、操作部１４０で受け付けたユーザの操作の解析や記憶部１２０に保存した画像データの管理を行う。また、制御部１１０は、通信部１３０による表示装置２００との接続状態の検出結果、及び、姿勢検知部１６０による表示装置２００に対する通信装置１００の姿勢の検知結果に基づいて、通信部１３０による画像データの送信を制御する。
【００１４】
記憶部１２０は、制御部１１０が使用するプログラムデータを格納する。また、記憶部１２０は、画像データや処理動作時の一時的なデータを保存する。
【００１５】
通信部１３０は、表示装置２００との間で通信を行う機能を有する。具体的には、通信部１３０は、非接触型の近距離無線通信により、表示装置２００に画像データを送信すると共に、表示装置２００から送信されるデータを受信する。また、通信部１３０は、表示装置２００を制御するための制御データも送信可能である。通信部１３０は、アンテナ１３２と、アンテナ１３２を介して表示装置２００との近距離無線通信を制御するための通信制御部１３４とを含む。通信制御部１３４は、アンテナ１３２から出力される信号レベルを減衰させる減衰器（不図示）を備え、アンテナ１３２から出力される信号レベルを減衰させることで、表示装置２００との通信可能距離を数センチ乃至数十センチの範囲に制御する。なお、減衰器は、抵抗器などを用いて、信号レベルの減衰量を変更することができるように構成される。また、通信制御部１３４は、アンテナ１３２を介して、表示装置２００との接続状態（即ち、通信装置１００が表示装置２００と接続しているか、接続していないか）を検出する。
【００１６】
操作部１４０は、通信装置１００の電源のＯＮ又はＯＦＦの切り替え、表示装置２００に送信する画像データの選択、各種設定などを行うためのスイッチやボタンを含む。
【００１７】
表示部１５０は、ユーザからの入力（操作）を促すためのメニュー画面及び設定画面や記憶部１２０に保存された画像データに対応する画像を表示する。
【００１８】
姿勢検知部１６０は、例えば、ジャイロセンサーなどで構成され、所定の向きからの通信装置１００の傾きを検出することで、表示装置２００に対する通信装置１００の姿勢及び姿勢の変化を検出する。
【００１９】
以下、通信装置１００の動作、詳細には、通信装置１００が表示装置２００に画像データを送信する動作について説明する。かかる動作は、ユーザが操作部１４０を操作して通信装置１００の電源がＯＮになることで開始され、制御部１１０が通信装置１００の各部を統括的に制御することで実現される。
＜第１の実施形態＞
図３を参照して、第１の実施形態における通信装置１００の動作を説明する。
【００２０】
Ｓ３０２において、制御部１１０は、通信部１３０を介して、通信装置１００が通信可能な外部装置が存在するか（即ち、通信対象装置が近接しているか）どうかを確認する。通信可能な外部装置の存在を確認するためには、まず、通信装置１００が予め定められた近距離無線通信の規格に沿った問い合わせ信号を送信する。通信装置１００からの問い合わせ信号を外部装置が受信した場合には、外部装置から通信装置１００に対して、問い合わせ信号に応答する応答信号が送信される。そして、外部装置からの応答信号を通信装置１００が受信することで、外部装置が存在していることを確認する。また、外部装置の存在を確認した時点で、通信装置１００と外部装置との接続が確立される。なお、近距離無線通信の通信規格には、当業界で周知のいかなる規格をも適用することができるため、ここでは詳しい説明は省略する。
【００２１】
通信装置１００が通信可能な外部装置が存在しない場合（Ｓ３０１のＮＯ）には、制御部１１０は、所定の時間間隔で、通信装置１００が通信可能な外部装置が存在するかどうかを確認する（即ち、Ｓ３０２を繰り返す）。
【００２２】
一方、通信装置１００が通信可能な外部装置が存在する場合（Ｓ３０１のＹＥＳ）には、Ｓ３０４において、制御部１１０は、通信部１３０を介して、通信対象装置となる外部装置から外部装置の装置情報（プロファイル情報）を取得する。ここで、装置情報は、外部装置がどのような装置であるか、即ち、装置の種類を示す情報を含む。外部装置の装置情報を取得するためには、まず、通信装置１００が機器情報の送信を要求する要求信号を外部装置に対して送信する。通信装置１００からの要求信号に応じて、外部装置から通信装置１００に対して、装置の種類を含む装置情報が送信される。そして、外部装置からの装置情報を通信装置１００が受信することで、外部装置の装置情報を取得する。
【００２３】
Ｓ３０６において、制御部１１０は、Ｓ３０４で取得した外部装置の装置情報を解析して、通信可能な外部装置が表示装置であるかどうかを確認する。通信可能な外部装置が表示装置でない場合（Ｓ３０６のＮＯ）には、Ｓ３０８において、制御部１１０は、ユーザに対して、通信可能な外部装置が表示装置でない旨を通知する。具体的には、制御部１１０は、通信可能な外部装置が表示装置でない旨のメッセージを表示部１５０に表示させる。そして、Ｓ３１０において、制御部１１０は、通信装置１００と外部装置との接続を切断する。通信装置１００と外部装置との接続を切断したら、制御部１１０は、一定時間待機して、通信装置１００が通信可能な外部装置が存在するかどうかを確認する（即ち、Ｓ３０２に移行する）。
【００２４】
一方、通信可能な外部装置が表示装置（以下、表示装置２００とする）である場合（Ｓ３０６のＹＥＳ）には、Ｓ３１２において、制御部１１０は、通信部１３０を介して、表示装置２００の表示部２２０に表示させる画像に対応する画像データを送信する。具体的には、制御部１１０は、記憶部１２０に保存されている画像データにデコード処理を施して所定の表示用データを生成し、通信部１３０を介して、表示装置２００に送信する。本実施形態では、表示装置２００の表示部２２０に動画像を表示させるものとし、かかる動画像に対応する動画像データ（ＭＰＥＧ等の一般的な動画像形式のデータ）を通信装置１００は送信するものとする。また、ユーザは、電源投入後、通信装置１００を表示装置２００に近接させる前に、表示装置２００に表示させる画像を任意に選択することができる。ユーザは、操作部１４０を介して、記憶部１２０に保存されている画像データのうち、表示装置２００に送信する画像データ（即ち、表示装置２００の表示部２２０に表示させる画像）を任意に決めることができる。なお、通信部１３０による画像データの送信中、即ち、表示装置２００の表示部２２０に動画像を表示（再生）している間は、図４（ａ）に示すように、動画像の再生中である旨を表示部１５０に表示することが好ましい。
【００２５】
Ｓ３１４では、制御部１１０は、通信部１３０を介して、表示装置２００との接続状態を検出し、画像データの送信中において、表示装置２００と接続しているかどうかを確認する。
【００２６】
表示装置２００と接続していないことが検出された場合（Ｓ３１４のＮＯ）には、Ｓ３１６において、制御部１１０は、通信部１３０による画像データ（表示装置２００の表示部２２０で再生されている動画像に対応する動画像データ）の送信を停止する。
【００２７】
Ｓ３１８において、制御部１１０は、表示装置２００に送信する画像データを選択するためのメニュー画面を表示部１５０に表示させる。そして、Ｓ３０２に移行して、通信装置１００の電源がＯＦＦになるまでループ処理となる。メニュー画面は、例えば、図４（ｂ）に示すように、記憶部１２０に保存されている画像データ（動画像データ）をユーザに選択させるための画像アイコンＩＩａ乃至ＩＩｆを含む。図４（ｂ）では、１つのメニュー画面は、第１の画像データ乃至第６の画像データに対応して６つの画像アイコンＩＩａ乃至ＩＩｆを含んでいるが、これに限定されるものではない。換言すれば、１つのメニュー画面は、記憶部１２０に保存されている画像データの数の範囲内において、任意の数の画像アイコンを含むことが可能である。
【００２８】
一方、表示装置２００と接続していることが検出された場合（Ｓ３１４のＹＥＳ）には、Ｓ３２０において、制御部１１０は、表示装置２００に対する通信装置１００の姿勢が変化したかどうかを確認する。具体的には、制御部１１０は、姿勢検知部１６０を介して、通信装置１００の姿勢を検知することで、画像データの送信中において、通信装置１００の姿勢が基準姿勢（第１の姿勢）から他の姿勢（第２の姿勢や第３の姿勢）に変化したかどうかを確認する。例えば、表示装置２００に対する通信装置１００の姿勢として、図５（ａ）に示す姿勢を基準姿勢とする。この場合、表示装置２００に対する通信装置１００の姿勢が図５（ｂ）又は図５（ｃ）に示す姿勢になると、姿勢検知部１６０によって、通信装置１００の姿勢が基準姿勢から他の姿勢に変化したと検知される。但し、図５（ｂ）又は図５（ｃ）に示す姿勢であっても、表示装置２００との距離が通信可能距離内であれば、通信装置１００と表示装置２００の接続は維持される。換言すれば、ユーザは、通信装置１００と表示装置２００の接続を維持しながら通信装置１００の姿勢を変化させることが可能である。
【００２９】
また、本実施形態では、基準姿勢が図５（ａ）に示す姿勢である旨を予め表示部１５０などを介してユーザに知らせておくものとする。そして、ユーザが通信装置１００を表示装置２００に近接させた際、この基準姿勢であるかどうかを検出し、基準姿勢でなかった場合には画像データの送信を開始せず、基準姿勢で近接させるよう、ユーザに警告するものとする。なお、基準姿勢は図５（ａ）に示す姿勢に限らず、任意の姿勢に変更することも可能である。
【００３０】
表示装置２００に対する通信装置１００の姿勢が変化していない場合（Ｓ３２０のＮＯ）には、制御部１１０は、表示装置２００と接続しているかどうかを確認する（即ち、Ｓ３１４に移行する）。
【００３１】
一方、表示装置２００に対する通信装置１００の姿勢が変化している場合（Ｓ３２０のＹＥＳ）には、Ｓ３２２において、通信部１３０による画像データ（表示装置２００の表示部２２０で再生されている動画像に対応する動画像データ）の送信を一時停止する。なお、通信部１３０による画像データの送信の一時停止中、即ち、表示装置２００の表示部２２０に動画像を表示（再生）を一時停止している間は、図４（ｃ）に示すように、動画像の再生の一時停止中である旨を表示部１５０に表示することが好ましい。同様に、表示装置２００に対しても、動画像の再生の一時停止中である旨のメッセージに対応する画像データを送信して、図４（ｃ）に示すメッセージを表示装置２００の表示部２２０に表示するようにしてもよい。また、通信装置１００の姿勢が変化したときに表示していた画面を静止画として表示するように、通信部１３０による画像データの送信を制御してもよい。これにより、通信装置１００の姿勢が変化したときの画像を再生一時停止の画像として表示装置２００の表示部２２０に表示させ続けることができる。
【００３２】
Ｓ３２４において、制御部１１０は、表示装置２００に対する通信装置１００の姿勢が基準姿勢に戻っているかどうかを確認する。具体的には、制御部１１０は、姿勢検知部１６０を介して、表示装置２００に対する通信装置１００の姿勢を検知することで、画像データの送信を一時停止した後において、通信装置１００の姿勢が他の姿勢から基準姿勢に変化したかどうかを確認する。
【００３３】
表示装置２００に対する通信装置１００の姿勢が基準姿勢に戻っている場合（Ｓ３２４のＹＥＳ）には、Ｓ３２６において、制御部１１０は、通信部１３０による画像データの送信を再開し、Ｓ３１２に移行する。この際、Ｓ３２２で送信を一時停止した画像データの次の画像データから引き続いて送信を再開する。
【００３４】
一方、表示装置２００に対する通信装置１００の姿勢が基準姿勢に戻っていない場合（Ｓ３２４のＮＯ）には、Ｓ３２８に移行する。Ｓ３２８において、制御部１１０は、通信部１３０を介して、表示装置２００との接続状態を検出し、画像データの送信を一時停止した後において、表示装置２００と接続しているかどうかを確認する。
【００３５】
表示装置２００と接続していないことが検出された場合（Ｓ３２８のＮＯ）には、制御部１１０は、一時停止している通信部１３０による画像データの送信を完全に停止する（即ち、Ｓ３１６に移行する）。
【００３６】
一方、表示装置２００と接続していることが検出された場合（Ｓ３２８のＹＥＳ）には、制御部１１０は、表示装置２００に対する通信装置１００の姿勢が基準姿勢に戻っているかどうかを確認する（即ち、Ｓ３２２に移行する）。
【００３７】
このように、第１の実施形態では、画像データの送信中において、表示装置２００との接続を維持したまま通信装置１００の姿勢が変化した（基準姿勢から他の姿勢に変化した）場合には、画像データの送信を一時停止する。また、画像データの送信を一時停止した後において、表示装置２００との接続を維持したまま通信装置１００の姿勢が基準状態に戻った（他の姿勢から基準姿勢に変化した）場合には、画像データの送信を再開する。従って、ユーザは、メニュー選択やボタン操作などの煩雑な操作を行うことなく、表示装置２００との接続を維持したまま通信装置１００の姿勢を変化させるだけで、画像データの送信の一時停止又は再開を好適に行うことができる。換言すれば、通信装置１００は、近距離無線通信を用いながらも、優れた操作性（ユーザビリティ）を実現することができる。
【００３８】
また、画像データの送信中、或いは、画像データの送信を一時停止した後において、表示装置２００と接続していないことが検出された場合には、通信装置１００は、画像データの送信を完全に停止する。その際、ユーザに対して、表示装置２００に送信する画像データを選択するためのメニュー画面を表示することで、次に表示装置２００に送信する画像データを速やかに選択させることができる。
【００３９】
なお、第１の実施形態では、画像データの送信中において、表示装置２００に対する通信装置１００の姿勢が変化した場合には、画像データの送信を一時停止したが、これに限定されるものではない。例えば、早送りや巻き戻しなどの処理を行ってもよいし、２つの画像データを同時に送信するような場合において、通信装置１００の姿勢の変化に応じて送信する画像データを動的に切り替える処理などを行ってもよい。
【００４０】
また、第１の実施形態では、画像データの送信中に通信装置１００の姿勢が基準姿勢から変化した場合に画像データの送信を一時停止したが、これに限定されるものではない。例えば、ユーザが通信装置１００を表示装置２００に近接させ、画像データの送信を開始した時点での通信装置１００の姿勢を覚えておく。その後、通信装置１００の姿勢が送信開始時から変化したことを検出した場合に、画像データの送信を一時停止する構成でもよい。
＜第２の実施形態＞
表示装置２００に対する通信装置１００の姿勢を第１の姿勢としての基準姿勢（図５（ａ））から他の姿勢に変化させるには、２通り考えられる。即ち、通信装置１００を奥側に倒して第２の姿勢（図５（ｂ））に変化させる場合、及び、通信装置１００を手前側に倒して第２の姿勢とは異なる第３の姿勢（図５（ｃ））に変化させる場合が考えられる。第２の実施形態では、表示装置２００に対する通信装置１００の姿勢を基準姿勢から第２の姿勢に変化させる場合と第３の姿勢に変化させる場合とで、通信部１３０による画像データの送信の制御を切り替える。
【００４１】
図６を参照して、第２の実施形態における通信装置１００の動作を説明する。Ｓ６０２乃至Ｓ６２０は、第１の実施形態で説明したＳ３０２乃至Ｓ３２０と同じであるため、ここでの詳細な説明は省略する。
【００４２】
表示装置２００に対する通信装置１００の姿勢が変化している場合（Ｓ３２０のＹＥＳ）には、Ｓ６２０において、制御部１１０は、表示装置２００に対する通信装置１００の姿勢が基準姿勢から第２の姿勢及び第３の姿勢のどちらに変化したのかを確認する。
【００４３】
表示装置２００に対する通信装置１００の姿勢が基準姿勢から第２の姿勢に変化した場合には、Ｓ６２４において、制御部１１０は、表示装置２００の表示部２２０に表示される動画像が巻き戻しされるように、通信部１３０を介して、画像データを送信する。具体的には、通常再生の方向とは逆方向に動画像が早送り再生されるよう、記憶部１２０から動画データを再生し、表示装置２００に送信する。
【００４４】
一方、表示装置２００に対する通信装置１００の姿勢が基準姿勢から第３の姿勢に変化した場合には、Ｓ６２６において、制御部１１０は、表示装置２００の表示部２２０に表示される動画像が早送りされるように、通信部１３０を介して、画像データを送信する。具体的には、動画像が早送り再生されるよう、記憶部１２０から動画データを再生し、表示装置２００に送信する。
【００４５】
Ｓ６２８において、制御部１１０は、表示装置２００に対する通信装置１００の姿勢が基準姿勢に戻っているかどうかを確認する。具体的には、制御部１１０は、姿勢検知部１６０を介して、表示装置２００に対する通信装置１００の姿勢を検知することで、動画像の巻き戻し中又は早送り中において、通信装置１００の姿勢が第２の姿勢又は第３の姿勢から基準姿勢に変化したかを確認する。
【００４６】
表示装置２００に対する通信装置１００の姿勢が基準姿勢に戻っている場合（Ｓ６２８のＹＥＳ）には、Ｓ６３０において、制御部１１０は、動画像の巻き戻し又は早送りを停止して動画像が再生されるように、画像データの送信を再開し、Ｓ６１２に移行する。
【００４７】
一方、表示装置２００に対する通信装置１００の姿勢が基準姿勢に戻っていない場合（Ｓ６２８のＮＯ）には、Ｓ６３２に移行する。Ｓ６３２において、制御部１１０は、通信部１３０を介して、表示装置２００との接続状態を検出し、動画像の巻き戻し中又は早送り中において、表示装置２００と接続しているかどうかを確認する。
【００４８】
表示装置２００と接続していないことが検出された場合（Ｓ６３２のＮＯ）には、制御部１１０は、通信部１３０による画像データの送信を完全に停止する（即ち、Ｓ６１６に移行する）。
【００４９】
一方、表示装置２００と接続していることが検出された場合（Ｓ６３２のＹＥＳ）には、制御部１１０は、表示装置２００に対する通信装置１００の姿勢が基準姿勢に戻っているかどうかを確認する（即ち、Ｓ６２８に移行する）。
【００５０】
このように、第２の実施形態では、画像データの送信中において、表示装置２００に対する通信装置１００の姿勢が基準姿勢から他の姿勢に変化した場合には、かかる他の姿勢に応じて異なる処理が行われるように、画像データの送信を制御する。具体的には、通信装置１００の姿勢が基準姿勢から第２の姿勢に変化した場合には動画像が巻き戻しされるように、通信装置１００の姿勢が基準姿勢から第３の姿勢に変化した場合には動画像が早送りされるように、画像データの送信を制御する。また、動画像の巻き戻し又は早送り中において、表示装置２００に対する通信装置１００の姿勢が基準状態に戻った（他の姿勢から基準姿勢に変化した）場合には、動画像の巻も戻し又は早送りを停止して動画像が再生されるように、画像データの送信を再開する。従って、ユーザは、メニュー選択やボタン操作などの煩雑な操作を行うことなく、表示装置２００に対する通信装置１００の姿勢を第２の姿勢、第３の姿勢又は基準姿勢に変化させるだけで、第１の実施形態よりも多くの処理を行うことができる。
＜第３の実施形態＞
表示装置２００に対する通信装置１００の姿勢を変化させて画像データの送信を一時停止する際には、表示装置２００の表示部２２０における表示をＯＦＦする、或いは、表示装置２００を通常モードから省電力モードにすることも考えられる。第３の実施形態では、通信装置１００の姿勢が変化した場合に、画像データの送信を一時停止すると共に、表示装置２００を制御するための制御データ（例えば、表示装置２００を通常モードから省電力モードに移行させるための制御データ）を送信する。
【００５１】
図７を参照して、第３の実施形態における通信装置１００の動作を説明する。Ｓ７０２乃至Ｓ７２２は、第１の実施形態で説明したＳ３０２乃至Ｓ３２２と同じであるため、ここでの詳細な説明は省略する。
【００５２】
Ｓ７２４において、制御部１１０は、通信部１３０を介して、表示装置２００を通常モードから省電力モードに移行させるための制御データを表示装置２００に対して送信する。表示装置２００を通常モードから省電力モードに移行させるための制御データの通信規格は、通信装置１００と表示装置２００との間で予め決められている。通信装置１００からの制御データを受信した表示装置２００は、かかる制御データに応じて、通常モードから省電力モードに移行する。
【００５３】
Ｓ７２６において、制御部１１０は、表示装置２００に対する通信装置１００の姿勢が基準姿勢に戻っているかどうかを確認する。
【００５４】
表示装置２００に対する通信装置１００の姿勢が基準姿勢に戻っている場合（Ｓ７２６のＹＥＳ）には、Ｓ７２８に移行する。Ｓ７２８において、制御部１１０は、通信部１３０を介して、表示装置２００を省電力モードから通常モードに移行させるための制御データを表示装置２００に対して送信する。通信装置１００からの制御データを受信した表示装置２００は、かかる制御データに応じて、省電力モードから通常モードに移行する。また、表示装置２００は、省電力モードから通常モードへの移行が完了すると、通信装置１００に対して、通常モードへの移行が完了したことを通知する。
【００５５】
Ｓ７２９において、制御部１１０は、表示装置２００が省電力モードから通常モードに移行したかどうかを確認する。具体的には、制御部１１０は、通信部１３０を介して、表示装置２００から通常モードへの移行が完了したことの通知を受信したかどうかを確認する。
【００５６】
表示装置２００が省電力モードから通常モードに移行していない場合（Ｓ７２９のＮＯ）には、表示装置２００が省電力モードから通常モードに移行するまで待機する（即ち、Ｓ７２９を繰り返す）。表示装置２００が省電力モードから通常モードに移行した場合（Ｓ７２９のＹＥＳ）には、Ｓ７３０において、制御部１１０は、通信部１３０による画像データの送信を再開し、Ｓ７１２に移行する。
【００５７】
一方、表示装置２００に対する通信装置１００の姿勢が基準姿勢に戻っていない場合（Ｓ７２６のＮＯ）には、Ｓ７３２に移行する。Ｓ７３２において、制御部１１０は、通信部１３０を介して、表示装置２００との接続状態を検出し、画像データの送信を一時停止した後において、表示装置２００と接続しているかどうかを確認する。
【００５８】
表示装置２００と接続していないことが検出された場合（Ｓ７３２のＮＯ）には、制御部１１０は、一時停止している通信部１３０による画像データの送信を完全に停止する（即ち、Ｓ７１６に移行する）。
【００５９】
一方、表示装置２００と接続していることが検出された場合（Ｓ７３２のＹＥＳ）には、制御部１１０は、表示装置２００に対する通信装置１００の姿勢が基準姿勢に戻っているかどうかを確認する（即ち、Ｓ７２６に移行する）。
【００６０】
このように、第３の実施形態では、画像データの送信中において、表示装置２００との接続を維持したまま通信装置１００の姿勢が変化した場合には、画像データの送信を一時停止すると共に、表示装置２００を制御するための制御データを送信する。従って、ユーザは、メニュー選択やボタン操作などの煩雑な操作を行うことなく、表示装置２００との接続を維持したまま通信装置１００の姿勢を変化させるだけで、表示装置２００の制御を行うことができる。なお、第３の実施形態では、通信装置１００から送信する制御データを、表示装置２００を通常モードから省電力モードに移行させる制御データとして説明したが、これに限定されるものではない。
【００６１】
以上、本発明の好ましい実施形態について説明したが、本発明はこれらの実施形態に限定されないことはいうまでもなく、その要旨の範囲内で種々の変形及び変更が可能である。
【図１】
2010246037.tif 000003
【図２】
2010246037.tif 000004
【図３】
2010246037.tif 000005
【図４】
2010246037.tif 000006
【図５】
2010246037.tif 000007
【図６】
2010246037.tif 000008
【図７】
2010246037.tif 000009